(57)【要約】【課題】使い勝手を向上し且つ従来の櫛歯部では難しい被塗布部を部分的に繊細に梳き整えるのを容易とする。【解決手段】容器内の液状化粧料は、先端面の開口から吐出し、開口を跨ぎ容器左右方向に離間し重なる同一形状の複数の板状のコーム歯４ｅ，４ｅ同士間に入り込み溜められる。眉毛が延在する長手方向に沿って、複数のコーム歯４ｅを移動させると、コーム歯４ｅ，４ｅ同士間に溜まった液状化粧料を眉毛に塗布しながら梳くことができる。コーム歯４ｅに設けられた凹凸による頂部４ｈは、コーム歯４ｅの並設方向に離間して重なるため、容器を回転させずに上記長手方向に直交する方向に沿いコーム歯４ｅを移動させると、頂部４ｈにより部分的に眉毛を梳きながら繊細に整えることができる。【選択図】図１
2019166019.tif 000002
【特許請求の範囲】
【請求項１】
液状化粧料を貯蔵する貯蔵部、前記貯蔵部に連通する連通路、当該連通路を通過した前記液状化粧料を吐出すべく先端面に設けられた開口、前記開口からの前記液状化粧料を塗布するための塗布具を具備した液状化粧料容器であって、
前記塗布具は、前記開口を跨ぐ同一形状の複数の板状のコーム歯が、前記液状化粧料容器の軸線方向に直交し且つ塗布側となる表側方向に対し直交する容器左右方向に離間し重なるように並設されており、
前記コーム歯には凹凸が設けられており、
前記凹凸により形成された頂部が離間配置されることを特徴とする塗布具付き液状化粧料容器。
【請求項２】
前記液状化粧料容器は、容器本体と、前記容器本体の先端部に連設された先筒と、を備え、
前記容器本体は、前記貯蔵部を有し、
前記先筒は、前記連通路と、前記先端面と、前記開口と、前記塗布具と、を有することを特徴とする請求項１記載の塗布具付き液状化粧料容器。
【請求項３】
複数の前記コーム歯の少なくとも一つのコーム歯の先端に、突起が設けられていることを特徴とする請求項１又は２記載の塗布具付き液状化粧料容器。
【請求項４】
前記開口は、前記容器左右方向に延びており、
前記コーム歯の表側の部分は、その先端からその下端へ向かって上り勾配で傾斜する傾斜部を備え、
前記傾斜部には、傾斜に沿って前記凹凸が設けられていることを特徴とする請求項１〜３の何れか一項に記載の塗布具付き液状化粧料容器。
【請求項５】
前記先端面は、前記傾斜部の傾斜に沿って傾斜面とされていることを特徴とする請求項４記載の塗布具付き液状化粧料容器。
【発明の詳細な説明】
【技術分野】
【０００１】
本発明は、液状化粧料を被塗布部に塗布し梳くための塗布具付き液状化粧料容器に関する。
【背景技術】
【０００２】
従来、眉毛に液状化粧料を塗布することができる液状化粧料塗布具として、以下の特許文献１に記載のものが知られている。この液状化粧料塗布具では、塗布具本体に液状化粧料が収容され、その先端に複数（ここでは３個）の略板状の櫛歯部（コーム歯とも呼ぶ）が並設されている。これらの櫛歯部は、塗布具本体の軸線方向前方へ突出するように延びており、収容部から押し出された液状化粧料は、櫛歯部同士の間に開口された吐出口から吐出し、櫛歯部同士間に供給される。使用者は、櫛歯部同士が、眉毛が延在する長手方向（概ね顔の左右方向）に直交する方向に並ぶようにして櫛歯部を眉毛に押し当て、櫛歯部を眉毛の延在する長手方向に沿って移動させることにより、液状化粧料を眉毛に塗布しながら梳くことができるようになっている。
【先行技術文献】
【特許文献】
【０００３】
【特許文献１】特開２００４−１５４１７３
【発明の概要】
【発明が解決しようとする課題】
【０００４】
しかしながら、上記特許文献１においては、櫛歯部により眉毛の延在する長手方向に液状化粧料を塗布しながら梳いた後、同方向に直交する略上下方向に部分的に梳いて整えるには、塗布具を略９０°回転させる必要があり、使い勝手が悪いという問題がある。また、その場合には、並設される板状の櫛歯部のそれぞれの幅（厚み）全体が眉毛に接触するため、部分的に繊細に梳き整えるのは難しい。
【０００５】
そこで、本発明は、眉毛を始めとした被塗布部に対し液状化粧料を塗布し梳く際の使い勝手を向上できると共に、従来の櫛歯部では難しかった被塗布部を部分的に繊細に梳き整えるのを容易とする塗布具付き液状化粧料容器を提供することを目的とする。
【課題を解決するための手段】
【０００６】
本発明による塗布具付き液状化粧料容器は、液状化粧料を貯蔵する貯蔵部、貯蔵部に連通する連通路、当該連通路を通過した液状化粧料を吐出すべく先端面に設けられた開口、開口からの液状化粧料を塗布するための塗布具を具備した液状化粧料容器であって、塗布具は、開口を跨ぐ同一形状の複数の板状のコーム歯が、液状化粧料容器の軸線方向に直交し且つ塗布側となる表側方向に対し直交する容器左右方向に離間し重なるように並設されており、コーム歯には凹凸が設けられており、凹凸により形成された頂部が離間配置されることを特徴としている。
【０００７】
このような塗布具付き液状化粧料容器によれば、貯蔵部から連通路を通過した液状化粧料は、先端面に設けられた開口から吐出し、開口を跨ぎ容器左右方向に離間し重なる同一形状の複数の板状のコーム歯同士間に入り込み溜められる。例えば眉毛等の被塗布部が延在する長手方向に沿って、長手方向に直交する例えば上下方向に並ぶ複数の板状のコーム歯を被塗布部に当てながら移動させると、被塗布部に対して、板状のコーム歯同士間に溜まった液状化粧料を塗布しながら梳くことができる。コーム歯に設けられた凹凸による頂部は、コーム歯の並設方向に離間して重なるため、容器を回転させることなく、上記被塗布部の長手方向に直交する方向に沿ってコーム歯を移動させると、頂部によって部分的に被塗布部を梳きながら繊細に整えることができる。すなわち、複数のコーム歯により被塗布部の一方向に沿って、液状化粧料を塗布しながら梳くことができる一方で、容器を回転させることなく、複数のコーム歯の頂部により被塗布部の一方向に直交する方向に沿って、被塗布部を部分的に梳き整えることができる。従って、使い勝手を向上できると共に、従来の櫛歯部では難しかった被塗布部を部分的に繊細に梳き整えることを容易にできる。
【０００８】
ここで、上記作用・効果を奏する液状化粧料容器の具体的な構成としては、容器本体と、容器本体の先端部に連設された先筒と、を備え、容器本体は、貯蔵部を有し、先筒は、連通路と、先端面と、開口と、塗布具と、を有する構成が挙げられる。
【０００９】
また、複数のコーム歯の少なくとも一つのコーム歯の先端に、突起が設けられていると、当該突起を、例えば眉尻等の細い部分に断続的に当てることにより、綺麗に整えることができる。
【００１０】
また、開口は、容器左右方向に延びており、コーム歯の表側の部分は、その先端からその下端へ向かって上り勾配で傾斜する傾斜部を備え、傾斜部には、傾斜に沿って凹凸が設けられているのが好ましい。このような構成を採用した場合、開口が、容器左右方向に延びているため、より多くのコーム歯を容器左右方向に並設でき、より一層繊細に梳き整えることができる。また、コーム歯の表側の先端から下端へ向かう上り勾配の傾斜部が設けられ、この傾斜に沿って凹凸及び頂部が設けられているため、一層被塗布部に沿って梳き整えることができる。
【００１１】
また、先端面は、傾斜部の傾斜に沿って傾斜面とされていると、傾斜面の開口から吐出された液状化粧料は、コーム歯同士間に挟まれた状態で、傾斜面に倣いコーム歯の傾斜部に沿うように外方へ広がって行く。このため、液状化粧料を均等に被塗布部に塗布することができる。
【発明の効果】
【００１２】
このように本発明によれば、眉毛を始めとした被塗布部に対し液状化粧料を塗布し梳く際の使い勝手を向上できると共に、従来の櫛歯部では難しかった被塗布部を部分的に繊細に梳き整えるのを容易とする塗布具付き液状化粧料容器を提供できる。
【図面の簡単な説明】
【００１３】
【図１】本発明の実施形態に係る塗布具付き液状化粧料容器の斜視図である。
【図２】図１中の塗布具を含む先筒を示す縦断面図である。
【図３】図１中の塗布具を示す正面図である。
【図４】図３の平面図である。
【図５】図３の右側面図である。
【図６】図３の背面図である。
【発明を実施するための形態】
【００１４】
以下、本発明による塗布具付き液状化粧料容器の好適な実施形態について図１〜図６を参照しながら説明する。図１は、本発明の実施形態に係る塗布具付き液状化粧料容器の斜視図、図２は、塗布具を含む先筒の縦断面図、図３は、塗布具の正面図、図４は、塗布具の平面図、図５は、塗布具の右側面図、図６は、塗布具の背面図である。なお、ここでは、特に好適であるとして、液状化粧料をアイブロウとし、塗布具付き液状化粧料容器をアイブロウ用として説明していく。
【００１５】
図１及び図２に示すように、塗布具付き液状化粧料容器１００は、アイブロウを貯蔵する貯蔵部１ａを内部に備えた容器本体１と、容器本体１の後部に回転可能且つ軸線方向移動不能に連結された操作筒２と、容器本体１の先端部に連結された誘導筒３と、誘導筒３の先端側に連結され先端に塗布具４ａを備える先筒４と、を概略具備し、容器本体１に対して操作筒２を使用者が一方向（繰り出し方向）に回転すると、容器本体１の後半部内に構成された押出機構としての螺合機構が働いて貯蔵部１ａ内に配設されたピストンが先筒４側に向かって順次繰り出され、貯蔵部１ａのアイブロウを先筒４側へ向かって押し出す構成とされている。なお、押出機構には、ピストンの前進のみを許容するラチェット機構があっても、なくても良い。また、容器本体１の先端部に着脱可能に装着され先筒４を覆うキャップは、ここでは、省略されている。
【００１６】
塗布具付き液状化粧料容器１００においては、先筒４の塗布具４ａ側を表側とし、先筒４の軸線方向（図１における上下方向）に直交し且つ塗布側となる表側方向（図２における左方向）に対し直交する方向（図３における左右方向）を容器左右方向とし、先筒４の軸線方向前側（図１における上方）を先端側として説明していく。
【００１７】
図２及び図３に示すように、誘導筒３は、貯蔵部１ａのアイブロウを、流路を絞って先筒４の塗布具４ａへ導くためのものであり、底面３ａが先端側へ凹む擂り鉢状を呈している。誘導筒３の底面３ａには、底面視長方形状の開口３ｂが、擂り鉢状に沿って表裏方向（図２左右方向）から見て逆Ｖの字状に形成されている。開口３ｂは、容器左右方向（図３左右方向）に長辺を有すると共に、表裏方向（図２左右方向）に短辺を有する形状となっている。開口３ｂには、開口３ｂと同形状の内周面及び相似形の外周面を有するパイプ部３ｃが先端側に突出するように延びている。そして、パイプ部３ｃの内周面が、開口３ｂを介して貯蔵部１ａに連通する連通路（流路）３ｄを構成している。
【００１８】
先筒４は先細に構成され、当該先筒４には、パイプ部３ｃの内周面と同一の断面長方形状を有し、パイプ部３ｃを介して貯蔵部１ａに連通する連通路（流路）４ｂが形成されている。この連通路４ｂは、先端側へ延び先筒４の先端面４ｃに達している。先端面４ｃは、その先端（図２上端）からその下端へ向かって上り勾配で傾斜する傾斜面４ｃとされており、先端面４ｃには、容器左右方向（図３左右方向）に延び連通路４ｂに繋がる軸線方向視長方形状の開口４ｄ（図３及び図４参照）が開口されている。なお、ここでは、先端面４ｃは、微妙に起伏する傾斜面（図２参照）となっているが、平らな傾斜面であっても良い。
【００１９】
塗布具４ａは、先端面４ｃから先端側へ突出し、容器左右方向に複数（ここでは５個）が等間隔で離間し並設される平板状のコーム歯４ｅを備えている。図３及び図４に示すように、これらのコーム歯４ｅは、容器左右方向を長手方向として延びる開口４ｄを短手方向に跨ぐ中央側の３個のコーム歯４ｅと、先端面４ｃの両側に位置し、アイブロウが容器左右方向外方へ流れ出るのを堰き止める機能も兼ねる２個のコーム歯４ｅと、を有する。先端面４ｃの両側のコーム歯４ｅは、先端面４ｃと連設する下端の形状が、中央側の３個のコーム歯４ｅと若干異なるが（図３参照）、コーム歯としての実質的な機能部分は同一形状である。従って、実質的に同一形状の複数の平板状のコーム歯４ｅが、容器左右方向に離間して重なるように配置されている。
【００２０】
コーム歯４ｅの表側の部分は、図２及び図５に示すように、その先端からその下端へ向かって上り勾配で傾斜する傾斜部４ｆを備え、傾斜部４ｆには、傾斜に沿って凹凸４ｇ（段差）が連続して設けられている。この凹凸４ｇの凸により、図１〜図５に示すように、頂部（頂点を容器軸線方向に延ばしたもの）４ｈが形成されている。この頂部４ｈは、傾斜に沿って離間配置されており、５個のコーム歯４ｅの容器左右方向に離間して重なるように配置されている。
【００２１】
また、図１〜図６に示すように、中央側の３個のコーム歯４ｅの先端には、前方へ延びる突起４ｉがそれぞれ設けられている。
【００２２】
なお、ここでは、容器本体１側が貯蔵部１ａを有し、先筒４側が、連通路３ｄ，４ｂ、先端面４ｃ、開口４ｄ、塗布具４ａを有する構成としているが、容器本体１と先筒４を一体とすることもできる。
【００２３】
このように構成された塗布具付き液状化粧料容器１００にあっては、使用者による容器本体１と操作筒２との回転操作に従って、貯蔵部１ａからアイブロウが押し出され、このアイブロウは、誘導筒３の開口３ｂ、連通路３ｄ、先筒４の連通路４ｂを通過して開口４ｄから吐出される。
【００２４】
容器左右方向に延びる開口４ｄから吐出されたアイブロウは、板状のコーム歯４ｅ，４ｅ同士間に入り込み挟まれた状態で溜められていき、傾斜面４ｃに沿いながら外方へ広がって行く。すなわち、コーム歯４ｅの傾斜部４ｆの傾斜に倣うような形状で膨出してくる。
【００２５】
使用者は、アイブロウの膨出状態が見えてきたら、回転操作を止め、それ以上のアイブロウの吐出を止める。
【００２６】
この状態で、使用者は、例えば眉頭においてコーム歯４ｅが概ね上下方向に並ぶようにして、コーム歯４ｅを眉頭に押し当てる。そして、コーム歯４ｅを、眉毛の延在する長手方向、すなわち、眉頭から眉尻に沿って（顔の概ね左右方向に沿って）移動させていくことにより、板状のコーム歯４ｅ，４ｅ同士間に溜まったアイブロウを眉毛に塗布しながら梳くことができる。このとき、アイブロウは、コーム歯４ｅより外方へ出ていないため、コーム歯４ｅが地肌に付き、アイブロウが直接地肌に付くことはない。
【００２７】
また、容器を回転させることなく、眉毛の延在する長手方向に直交する顔の概ね上下方向に沿ってコーム歯４ｅを移動させることにより、コーム歯４ｅの傾斜に沿って離間すると共にコーム歯４ｅの並設方向に離間して並ぶ頂部４ｈによって、部分的に眉毛を梳きながら繊細に整えることができる。
【００２８】
すなわち、本実施形態の塗布具付き液状化粧料容器１００によれば、塗布具４ａは、開口４ｄを跨ぐ同一形状の複数の板状のコーム歯４ｅが、容器左右方向に離間し重なるように並設され、コーム歯４ｅには凹凸４ｇにより形成された頂部４ｈが離間配置されている。このため、複数のコーム歯４ｅにより眉毛の一方向に沿って、液状化粧料を塗布しながら梳くことができる一方で、容器を回転させることなく、複数のコーム歯４ｅの頂部４ｈにより眉毛の一方向に直交する方向に沿って、眉毛を部分的に梳き整えることができる。従って、使い勝手を向上できると共に、従来の櫛歯部では難しかった眉毛を部分的に繊細に梳き整えることを容易にできる。
【００２９】
また、中央側の３個のコーム歯４ｅの先端に、突起４ｉが設けられているため、当該突起４ｉを、例えば眉尻等の細い部分に断続的に当てることにより、綺麗に整えることができる。なお、突起４ｉは、複数（ここでは５個）のコーム歯４ｅの少なくとも一つのコーム歯４ｅの先端に設けられていれば良い。
【００３０】
また、先筒４の先端面４ｃは、傾斜部４ｆの傾斜に沿って傾斜面とされているため、先筒４の傾斜面４ｃの開口４ｄから吐出されたアイブロウは、コーム歯４ｅ，４ｅ同士間に挟まれた状態で、先筒４の傾斜面４ｃに倣いコーム歯４ｅの傾斜部４ｆに沿うように外方へ広がって行く。このため、アイブロウを均等に眉毛に塗布することができる。
【００３１】
また、開口４ｄは、容器左右方向に延びているため、より多くのコーム歯４ｅを容器左右方向に並設でき、より一層繊細に梳き整えることができる。また、コーム歯４ｅの表側の先端から下端へ向かう上り勾配の傾斜部４ｆが設けられ、この傾斜に沿って凹凸４ｇ及び頂部４ｈが設けられているため、一層被塗布部に沿って梳き整えることができる。
【００３２】
以上、本発明をその実施形態に基づき具体的に説明したが、本発明は上記実施形態に限定されるものではなく、例えば、上記実施形態においては、特に好適であるとして、先筒４の先端面４ｃを傾斜面としているが、傾斜せず容器の軸線方向に直交する平坦面であっても良い。また、開口４ｄも、特に好適であるとして、容器左右方向に延びているが、左右方向以外の方向に延びる開口や、正方形状等の開口であっても良い。また、コーム歯４ｅも、特に好適であるとして、傾斜部４ｆを有しているが、例えば傾斜しない平坦面や円弧面等とし、これらの面に凹凸及び頂部を設けても良い。
【００３３】
また、上記実施形態においては、特に作用・効果が顕著であるとして、液状化粧料をアイブロウとし、塗布具付き液状化粧料容器をアイブロウ用としているが、例えば、頭髪用化粧料等の液状化粧料に対しても適用できる。
【００３４】
また、上記実施形態においては、液状化粧料の押出機構を回転式としているが、例えばノック式等の押出機構でも良い。また、液状化粧料を押し出すのは機構に限定されず、チューブやソフトボトル等のスクイーズタイプであっても良い。
【符号の説明】
【００３５】
１…容器本体、１ａ…貯蔵部、３ｄ、４ｂ…連通路、４…先筒、４ａ…塗布具、４ｃ…先端面、４ｄ…開口、４ｅ…コーム歯、４ｆ…傾斜部、４ｇ…凹凸、４ｈ…頂部、４ｉ…突起、１００…塗布具付き液状化粧料容器。
【図１】
2019166019.tif 000003
【図２】
2019166019.tif 000004
【図３】
2019166019.tif 000005
【図４】
2019166019.tif 000006
【図５】
2019166019.tif 000007
【図６】
2019166019.tif 000008